(57)【特許請求の範囲】
【請求項１】
可撓性を有する収納部と、この収納部内の内容物を取り出し可能な広口開孔部と、この広口開孔部に取り外し可能に設けられ上記収納部の内外を連通する小孔を有する栓体とを備え、上記内容物は、上記収納部が押圧されて上記小孔から吐出され、あるいは上記栓体が取り外されて広口開孔部から取り出されるチューブ容器において、
上記広口開孔部周りにこれより隆起させて一条の凸ネジ条を形成し、上記栓体の内周壁を窪ませて上記凸ネジ条に螺合する一条の凹ネジ条を、該凸ネジ条と同一長さで形成し、上記両ネジ条が螺合を開始する各ネジ条の始端部とは反対側の各終端部のうち、上記凸ネジ条の終端部には、上記凹ネジ条始端部の上記栓体内周壁を係止して該凹ネジ条の螺合移動を制止する広口開孔部側制止部を、上記広口開孔部から凸ネジ条相当で隆起させて形成するとともに、上記凹ネジ条の終端部には、上記凸ネジ条始端部を係止して該凸ネジ条の螺合移動を制止する栓体側制止部を、上記栓体内周壁で該凹ネジ条を封鎖して形成し、これら凹ネジ条の始端部および凸ネジ条の始端部それぞれが、上記広口開孔部側制止部および上記栓体側制止部双方に同時に係止されることにより、上記広口開孔部に対する上記栓体の螺合停止位置を位置決めするようにしたことを特徴とするチューブ容器。
【請求項２】
前記広口開孔部と前記栓体との間に、前記一対の制止部によって該栓体が該広口開孔部に位置決めされる直前の位置で係脱自在に係合して該栓体が位置決めされることを報知する係合部を設けたことを特徴とする請求項１に記載のチューブ容器。
【発明の詳細な説明】
【０００１】
【発明の属する技術分野】
本発明は、可撓性を有する収納部に収納された内容物を、上記収納部を押圧することによって吐出させることができるチューブ容器に関する。
【０００２】
【従来の技術】
従来、チューブ容器は、円筒状の胴部を有し、その一方の端部はその直径方向外側から圧接されて板状に封止され、他方の端部にはその周縁部に接合される閉塞部によって閉塞され胴部内に収納部が形成されている。そして、上記閉塞部の中央に外方に向かって突設された吐出筒の先端に、内容物を吐出させるために収納部の内外を連通する吐出孔が設けられている。この種の従来のチューブ容器にあっては、閉塞部に剛性を持たせているため、当然閉塞部は変形しにくく、閉塞部近傍の胴部も十分に変形させることが難しい。よって、チューブ容器の閉塞部近傍に内容物が残存していても、それを残すことなく吐出させることができず、比較的多量の内容物を使用することができなかった。
【０００３】
このような点を改善するために、収納部内の内容物を取り出し可能な広口開孔部と、この広口開孔部に螺合可能に設けられ、収納部の内外を連通する小孔を有する栓体とを備えて、収納部を押圧することで小孔から内容物を吐出させたり、あるいは栓体を取り外すことで広口開孔部から内容物を取り出せるようにして、収納部内の内容物を簡単にほぼすべて使い切ることができるようにしたチューブ容器が知られている（特開２００１−１５８４４８号公報参照）。
【０００４】
そしてこのようなチューブ容器では、胴部に正面や裏面があって栓体の向きがこれに合致するよう、栓体を取り付けた際の胴部に対する当該栓体の螺合停止位置を一定位置とすることができる位置決め機構が備えられている。具体的には、栓体を広口開孔部周りに装着した後回転することにより、広口開孔部の外周壁を窪ませた３つのＬ字状の係合溝に、栓体の内周壁から隆起させて形成した３つのリブをそれぞれ係合させるようにし、その際、リブを係合溝に突き当てることにより栓体のそれ以上の回転を阻止して、これによって広口開孔部に対する栓体の停止位置を位置決めするようにしている。
【０００５】
【発明が解決しようとする課題】
ところで、上記従来のチューブ容器にあっては、係合溝とリブとの突き当てによって位置決めするようにしていたため、位置決めに関わる係合溝とリブとの突き当て面積はそれが１箇所であれば狭いものであり、リブが係合溝を乗り越えてオーバーランしてしまうおそれがあった。そしてこのようなおそれを考慮して上記チューブ容器にあっては、突き当て面積を広く確保すべく、係合溝を複数形成するとともにリブも複数形成していて、そのためにこれら広口開孔部部分や栓体を成型するための金型等の成形型のコストアップを招いてしまうという問題があった。
【０００６】
本発明はかかる従来の課題に鑑みてなされたもので、螺合停止位置を越えてオーバーランしてしまうことを確実に防止することができる構造簡単なチューブ容器を提供することを目的とする。
【０００７】
【課題を解決するための手段】
本発明にかかるチューブ容器は、可撓性を有する収納部と、この収納部内の内容物を取り出し可能な広口開孔部と、この広口開孔部に取り外し可能に設けられ上記収納部の内外を連通する小孔を有する栓体とを備え、上記内容物は、上記収納部が押圧されて上記小孔から吐出され、あるいは上記栓体が取り外されて広口開孔部から取り出されるチューブ容器において、上記広口開孔部周りにこれより隆起させて一条の凸ネジ条を形成し、上記栓体の内周壁を窪ませて上記凸ネジ条に螺合する一条の凹ネジ条を、該凸ネジ条と同一長さで形成し、上記両ネジ条が螺合を開始する各ネジ条の始端部とは反対側の各終端部のうち、上記凸ネジ条の終端部には、上記凹ネジ条始端部の上記栓体内周壁を係止して該凹ネジ条の螺合移動を制止する広口開孔部側制止部を、上記広口開孔部から凸ネジ条相当で隆起させて形成するとともに、上記凹ネジ条の終端部には、上記凸ネジ条始端部を係止して該凸ネジ条の螺合移動を制止する栓体側制止部を、上記栓体内周壁で該凹ネジ条を封鎖して形成し、これら凹ネジ条の始端部および凸ネジ条の始端部それぞれが、上記広口開孔部側制止部および上記栓体側制止部双方に同時に係止されることにより、上記広口開孔部に対する上記栓体の螺合停止位置を位置決めするようにしたことを特徴とする。
【０００８】
また、前記広口開孔部と前記栓体との間に、前記一対の制止部によって該栓体が該広口開孔部に位置決めされる直前の位置で係脱自在に係合して該栓体が位置決めされることを報知する係合部を設けたことを特徴とする。
【０００９】
【発明の実施の形態】
以下、本発明にかかるチューブ容器の好適な一実施形態を、添付図面を参照して詳細に説明する。本実施形態のチューブ容器１は主に、可撓性を有する収納部２と、この収納部２内に収納された内容物を取り出し可能な広口開孔部３と、この広口開孔部３に取り外し可能に取り付けられ、収納部２の内外を連通する小孔４を備えた栓体５と、栓体５に回動自在に一体的に形成され、小孔４を閉止する閉止突部６を備えた外蓋７とで構成されている。
【００１０】
収納部２は、円筒状をなす胴部８と、その一端側開口に成形、固定されてその開口を覆う肩部９とを備え、胴部８の他端側開口がその直径方向外側から圧接されて板状に封止されて、その内部に内容物が収納される。肩部９には胴部８と反対側に円筒状の広口開孔部３が突設され、収納部２の内外を連通している。そして、この収納部２の胴部８は合成樹脂や合成ゴム等の可撓性部材で形成され、肩部９および広口開孔部３は胴部８が押圧されても変形しにくい程度の剛性を備えている。広口開孔部３は、指を挿入して内容物をすくい取ることができる程度の内径を有する。
【００１１】
栓体５は、広口開孔部３に螺合される円筒状の内筒部１０と、内筒部１０よりも内方に形成され、広口開孔部３内に挿入される鍔部１１と、内筒部１０の上端を覆う円盤状の閉塞板１２と、閉塞板１２の外周縁に内筒部１０を包囲して垂下された外筒部１３と、外筒部１３の一部側縁にヒンジ１４を介して連結された外蓋７とが一体に成形されている。この閉塞板１２の中央部には、栓体５が広口開孔部３に取り付けられた状態で、収納部２の内外を連通し、胴部８が押圧されて内容物を吐出させる小孔４が設けられている。外蓋７の内側には、これを閉じた状態で小孔４に挿入されて小孔４を閉止する閉止突部６が設けられている。この閉止突部６は、外蓋７を開くことによって小孔４から抜け出て、小孔４が開放される。なお、栓体５の外周縁部に、その一部を面取りするように切り欠いて凹部１５が形成されていて、この凹部１５により外蓋７に指を掛けることができて、外蓋７を容易に開くことができる。
【００１２】
そして、このチューブ容器１は、収納部２に内容物が多量に収納されている場合には、収納部２の胴部８を押圧して栓体５に設けられた小孔４から内容物を吐出させる。このとき、胴部８の押圧力を調節することによって小孔４から内容物を適量だけ容易に吐出させることができる。他方、収納部２内の内容物が少なくなり、肩部９周辺にのみ残存し胴部８を押圧しても吐出できなくなった場合には、栓体５を取り外し、広口開孔部３から指等を挿入してその残存内容物を取り出すことができる。したがって、チューブ容器１内の内容物を残すことなく使用することができる。
【００１３】
そして特に本実施形態にあっては、栓体５の内筒部１０の内周壁１６は図５に示すように、広口開孔部３との間にわずかな隙間Ｓを隔てる内径寸法Ｒ１で形成される。また内筒部１０には、内周壁１６よりも外側であって広口開孔部３に取り付けた際に肩部９に近接する下端部に、内周壁１６の内径よりも大きな内径を有する口縁部１７が形成されている。そして栓体５と広口開孔部３との間には、栓体５の螺合を停止させるために、以下に説明する位置決め機構が備えられる。
【００１４】
広口開孔部３にはこれを周回して、一条の凸ネジ条１８が形成される。この凸ネジ条１８は、広口開孔部３に栓体５を装着できるようにその口縁部１７の内径よりも小さな外径寸法であって、かつ上記隙間Ｓの寸法よりも大きな寸法で、広口開孔部３から外方へ隆起させて形成される。すなわち、凸ネジ条１８は、内周壁１６の内径Ｒ１よりも大きな「外径Ｒ２」のネジ条として形成される。他方、栓体５の内周壁１６にもこれを周回して、凸ネジ条１８と同一長さで当該凸ネジ条１８と螺合し合う一条の凹ネジ条１９が形成される。この凹ネジ条１９は内周壁１６を窪ませることにより、当該内周壁１６の内径Ｒ１よりも大きな「外径Ｒ２」を有する凸ネジ条１８に対応した「谷の径Ｒ３」を有するネジ条として形成され、その一端は口縁部１７に達して当該口縁部１７と連通されている。そして、口縁部１７側から栓体５を広口開孔部３に被せて凸ネジ条１８に対し凹ネジ条１９を螺合することにより栓体５を広口開孔部３にねじ込むことができ、これによってチューブ容器１を封止することができる。
【００１５】
特に、これら凸ネジ条１８と凹ネジ条１９が互いに螺合を開始する各ネジ条１８，１９の始端部１８ａ，１９ａとは反対側の凸ネジ条１８および凹ネジ条１９それぞれの終端部１８ｂ，１９ｂに関し、まず凸ネジ条１８について説明すると、凸ネジ条１８の終端部１８ｂには、凹ネジ条１９の螺合移動を制止するための広口開孔部側制止部として凸部２０が形成される。この凸部２０は本実施形態にあっては、凸ネジ条１８の下側に、当該凸ネジ条１８と同程度の高さで広口開孔部３から隆起させて形成されている。そしてこの凸部２０は、少なくとも凸ネジ条１８の形成方向に対して、すなわち栓体５のねじ込み方向に対して広口開孔部３から突出した段差となっている。図示例にあっては、凸部２０は凸ネジ条１８と一連に一体的に形成されているけれども、凸ネジ条１８とは分離して独立に形成してもよいことはもちろんである。
【００１６】
そして広口開孔部３に装着した栓体５を凸ネジ条１８と凹ネジ条１９の螺合に従ってねじ込んでいくと、凸ネジ条１８の「外径Ｒ２」よりも大きな内径の口縁部１７が凸部２０を越えて肩部９に向かって接近していき、その後、図６に示すように凸ネジ条１８の終端部１８ｂに凹ネジ条１９の始端部１９ａが達すると、凸部２０の広口開孔部３からの隆起高さ寸法が上記隙間Ｓの寸法よりも大きいために、凹ネジ条１９の始端部１９ａ近傍の内周壁１６が、段差となっている当該凸部２０に突き当たって係止されることになり、これにより凹ネジ条１９のそれ以上の螺合移動が制止される。
【００１７】
他方、凹ネジ条１９について説明すると、凹ネジ条１９の終端部１９ｂには、凸ネジ条１８の螺合移動を制止するための栓体側制止部として封鎖部２１が形成されている。この封鎖部２１は本実施形態にあっては、内周壁１６を窪ませて形成した凹ネジ条１９の終端を当該内周壁１６で埋めることにより封鎖して形成されている。そしてこの封鎖部２１は、少なくとも凹ネジ条１９の形成方向に対して、すなわち栓体５のねじ込み方向に対して凹ネジ条１９から突出した段差となっている。図示例にあっては、封鎖部２１は内周壁１６の壁面に連続して形成されているけれども、内周壁１６の壁面と連続する形態でなくてもよいことはもちろんである。そして広口開孔部３に装着した栓体５をねじ込んでいくことによって凹ネジ条１９の終端部１９ｂに達した凸ネジ条１８の始端部１８ａは図６に示すように、段差となっている封鎖部２１に突き当たって係止されることになり、これにより凸ネジ条１８のそれ以上の螺合移動が制止される。
【００１８】
そしてこれら凸ネジ条１８と凹ネジ条１９とが同じ長さで形成されていることから、栓体５の螺合停止位置において、これら両ネジ条１８，１９の始端部１８ａ，１９ａそれぞれが凸部２０および封鎖部２１双方に同時に係止され、これらによって広口開孔部３に対する栓体５の螺合停止位置が位置決めされる。このように各ネジ条１８，１９に対応させて凸部２０や封鎖部２１を備えるという簡単な構成によって、栓体５の螺合停止位置を位置決めする際の突き当て面積を大きく広く確保することができる。したがって、栓体５のオーバーランを確実に防止することができる。特に、一条ネジであっても十分な突き当て面積を得ることができることから、ネジ条を複数形成する場合に比べて成形型のコストダウンを達成しつつ、栓体５を確実に位置決めできる。
【００１９】
また、広口開孔部側制止部である凸部２０は凸ネジ条１８相当で隆起させたものであり、また栓体側制止部である封鎖部２１は栓体５の内周壁１６で凹ネジ条１９を封鎖させたものであって、図５に示すように栓体内周壁１６と広口開孔部３との隙間Ｓを増大させることなく、これらネジ条１８，１９の形成範囲であるＲ１〜Ｒ２内に位置決め機構を備えることができ、位置決め機構のために栓体５の外形寸法が大きくなることを防止することができる。
【００２０】
さらに、広口開孔部３と栓体５との間には、栓体５が広口開孔部３に位置決めされる直前の位置で係脱自在に係合して栓体５が位置決めされることを音や感触で報知する係合部が設けられる。本実施形態にあっては、広口開孔部３には、凸部２０直下および当該広口開孔部３周りの反対側位置に、肩部９側から上方へ向かって突出させて一対の係合突起２２が形成されるとともに、栓体５の内筒部１０外側には、凹ネジ条１９の始端部１９ａより栓体５のねじ込み方向前方および内筒部１０周りの反対側位置に、口縁部１７から下方に突出させて一対の乗り上げ突起２３が形成される。
【００２１】
そして、広口開孔部３の上下方向に沿う凸ネジ条１８と凹ネジ条１９との間のギャップＧを利用して、乗り上げ突起２３がその下端から係合突起２２の上端を乗り上げて互いに係合するようになっている。そしてこの乗り上げ突起２３が係合突起２２に係合する際の感触や音によって、栓体５が広口開孔部３に位置決めされることが報知されるようになっている。これにより、栓体５の過度のねじ込みを防止することができる。またこの係合部は、その係合によって栓体５を位置決め位置に保持するとともに、栓体５を緩める方向に回すことによって係合が外されるようになっている。
【００２２】
【発明の効果】
以上要するに、本発明にかかるチューブ容器にあっては、凹ネジ条や凸ネジ条に対応させて、広口開孔部側制止部や栓体側制止部を備えるという簡単な構成によって、栓体の螺合停止位置を位置決めする際の突き当て面積を大きく広く確保して、栓体が螺合停止位置を越えてオーバーランしてしまうことを確実に防止することができる。特に、一条ネジであっても十分な突き当て面積を得ることができることから、成形型のコストダウンを達成しつつ、栓体を確実に位置決めできる。凸ネジ条相当で隆起されまた凹ネジ条を封鎖して形成した制止部であることから、栓体の外形寸法も小さく維持することができる。
【００２３】
また、栓体が位置決めされることを報知する係合部によって、栓体の過度のねじ込みを防止することができる。
【図面の簡単な説明】
【図１】本発明にかかるチューブ容器の好適な一実施形態を示す分解斜視図である。
【図２】図１のチューブ容器の要部側断面図である。
【図３】図１のチューブ容器を構成する栓体の要部側断面図である。
【図４】図１のチューブ容器の使用状態を示す要部側断面図である。
【図５】図１のチューブ容器の凸ネジ条と凹ネジ条の螺合部分を説明するための模式図である。
【図６】図１のチューブ容器における栓体の位置決め作用を説明するためにネジ条部分を展開した説明図である。
【符号の説明】
１  チューブ容器
２  収納部
３  広口開孔部
４  小孔
５  栓体
１６  内周壁
１８  凸ネジ条
１９  凹ネジ条
１８ａ，１９ａ  各ネジ条の始端部
１８ｂ，１９ｂ  各ネジ条の終端部
２０  凸部
２１  封鎖部
２２  係合突起
２３  乗り上げ突起
【図１】
0004151755.tif 000002
【図２】
0004151755.tif 000003
【図３】
0004151755.tif 000004
【図４】
0004151755.tif 000005
【図５】
0004151755.tif 000006
【図６】
0004151755.tif 000007